(57)【要約】【課題】本発明は救援機能付き通学リュックを開示した。【解決手段】通学リュックを含み、前記通学リュックの頂端には蓋が設置され、前記通学リュックの中には本チャンバが設置され、前記本チャンバの右側壁の中には収納チャンバが設置され、前記収納チャンバの中にはスライドできる浮力板が設置され、前記浮力板の中には浮力を増加する浮かび装置が設置され、本発明は構成が簡単で、操作が便利で、メンテナンスしやすく、当該設備は大きい浮力を提供でき、通学リュックが水を吸った後に学生を川の奥に引っ張ることを避け、ゆっくりと学生を岸辺に推し、学生を救援する効率を高め、そのため、当該設備は高い使用価値と普及する価値を有する。【選択図】図１
2020183215.tif 000002
【特許請求の範囲】
【請求項１】
正面視で、通学リュックを含み、前記通学リュックの頂端には蓋が設置され、前記通学リュックの中には本チャンバが設置され、前記本チャンバの右側壁の中には収納チャンバが設置され、前記収納チャンバの中にはスライドできる浮力板が設置され、前記浮力板の中には浮力を増加する浮かび装置が設置され、前記本チャンバの底壁の中にはインペラチャンバが設置され、前記インペラチャンバの中には回転できる阻み板が設置され、前記阻み板が前記インペラチャンバを閉鎖でき、前記インペラチャンバの中には推進力を提供できる推進装置が設置され、前記インペラチャンバの右壁の中には伝動チャンバが設置され、前記伝動チャンバの頂壁の中には旋転軸が設置され、前記旋転軸の中には前記阻み板を回転させることができる旋転装置が設置され、前記伝動チャンバの右壁の中には動力チャンバが設置され、前記動力チャンバの中には前記推進装置と前記浮かび装置を収納できる収納装置が設置され、前記動力チャンバの中には動力を提供できる動力装置が設置され、前記動力チャンバの底壁の中には電磁溝が設置され、前記電磁溝の中には前記動力装置の動力出力位置を変えられるコントロール装置が設置されていることを特徴とする救援機能付き通学リュック。
【請求項２】
前記動力装置は前記動力チャンバの左壁の中に設置されているモータを含み、前記動力チャンバの中には前記モータと動力が伝達できるように連結されている動力軸が設置され、前記動力軸の外壁にはスリーブ軸がスライドできるように設置され、前記スリーブ軸と前記動力軸とがスプラインにより連結され、前記スリーブ軸の左端にはメインギヤが設置され、前記スリーブ軸の右端にはメインベベルギヤが設置され、前記コントロール装置は前記電磁溝の中に設置されている永久磁石を含み、前記スリーブ軸の外壁には前記永久磁石と固定的に連結されている回転ブロックが回転できるように設置され、前記電磁溝の右壁の中には電磁石が設置され、前記電磁石と前記永久磁石との間にはばねが弾性を持つように設置されていることを特徴とする請求項１に記載の救援機能付き通学リュック。
【請求項３】
前記浮かび装置は前記浮力板の中に設置されているエアタンクを含み、前記浮力板には前記浮力板を閉じることができる吸着ブロックが左右対称的に設置され、前記吸着ブロックのうち前記エアタンクに近接している一端にはエアバッグが設置され、前記エアバッグと前記エアタンクとの間がエアダクトにより連通され、前記推進装置は前記インペラチャンバの中に設置されているインペラ軸を含み、前記インペラ軸の左端には前記インペラチャンバの中に位置しており、且つ推進力を提供できるインペラが設置され、前記インペラ軸の外壁には前記伝動チャンバの中に位置している従動ギヤが設置され、前記伝動チャンバの中には上軸が設置され、前記上軸の左端には前記伝動チャンバの中に位置しており、且つ前記従動ギヤと噛み合うことができる左ギヤが設置され、前記上軸の右端には前記動力チャンバの中に位置しており、且つ前記メインギヤと噛み合うことができる右ギヤが設置されていることを特徴とする請求項１に記載の救援機能付き通学リュック。
【請求項４】
前記収納装置は前記伝動チャンバの右壁の中に設置されている旋転チャンバを含み、前記伝動チャンバの中にはスライドできるスライドラックが設置され、前記インペラ軸が前記スライドラックと回転できるように連結され、前記旋転チャンバの中には収納軸が設置され、前記収納軸の後端には前記スライドラックと噛み合っているスパーギヤが設置され、前記収納軸の前端には従動ベベルギヤが設置され、前記動力チャンバの中には下軸が設置され、前記下軸の左端には前記従動ベベルギヤと噛み合っている左ベベルギヤが設置され、前記下軸の右端には前記動力チャンバの中に位置しており、且つ前記メインギヤと噛み合っている上ギヤが設置され、前記収納チャンバの中にはスライドでき、且つ前記浮力板と固定的に連結されている収納ラックが設置され、前記収納ラックが前記収納チャンバの中で極限位置までスライドした時、前記収納ラックが九十度回転でき、前記動力チャンバの中には縦軸が設置され、前記縦軸の底端には前記メインベベルギヤと噛み合っている右ベベルギヤが設置され、前記縦軸の頂端には前記収納チャンバの中に位置しており、且つ前記収納ラックと噛み合っている往復ギヤが設置されていることを特徴とする請求項１に記載の救援機能付き通学リュック。
【請求項５】
前記旋転装置は前記旋転チャンバの中に設置されている右軸を含み、前記右軸の後端には前記スパーギヤと噛み合っている回転ギヤが設置され、前記右軸の前端には正プーリが設置され、前記旋転チャンバの中には前記阻み板と固定的に連結されている前記旋転軸が設置され、前記旋転軸の前端にはサブギヤが設置され、前記旋転チャンバの中には左軸が設置され、前記左軸の後端には前記サブギヤと噛み合っている伝動ギヤが設置され、前記左軸の前端にはサブプーリが設置され、前記サブプーリと前記正プーリとの間にはベルトが伝動できるように設置されていることを特徴とする請求項１に記載の救援機能付き通学リュック。
【発明の詳細な説明】
【技術分野】
【０００１】
本発明は通学リュック分野を取り上げて、具体的には救援機能付き通学リュックである。
【背景技術】
【０００２】
社会の発展につれて、人々は学生の安全をもっと重視するようになり、同時に、通学リュックは学生が教科書、文房具などの用品を携帯するための常用の物であり、学生が川に落ちるなどの意外な事故が発生した時、学生が背負ている通学リュックが水を吸って重くなり、学生の安全を危うくし、且つ救援の進捗状況に影響を及ぼし、そのため、本発明は救援機能付き通学リュックを設計することを目的とする。
【先行技術文献】
【特許文献】
【０００３】
【特許文献１】中国特許出願公開第１０９６４５６６１号明細書
【発明の概要】
【発明が解決しようとする課題】
【０００４】
本発明は救援機能付き通学リュックを提供し、従来技術における上記欠点を解消することを目的とする。
【課題を解決するための手段】
【０００５】
本発明の救援機能付き通学リュックは、通学リュックを含み、前記通学リュックの頂端には蓋が設置され、前記通学リュックの中には本チャンバが設置され、前記本チャンバの右側壁の中には収納チャンバが設置され、前記収納チャンバの中にはスライドできる浮力板が設置され、前記浮力板の中には浮力を増加する浮かび装置が設置され、前記本チャンバの底壁の中にはインペラチャンバが設置され、前記インペラチャンバの中には回転できる阻み板が設置され、前記阻み板が前記インペラチャンバを閉鎖でき、前記インペラチャンバの中には推進力を提供できる推進装置が設置され、前記インペラチャンバの右壁の中には伝動チャンバが設置され、前記伝動チャンバの頂壁の中には旋転軸が設置され、前記旋転軸の中には前記阻み板を回転させることができる旋転装置が設置され、前記伝動チャンバの右壁の中には動力チャンバが設置され、前記動力チャンバの中には前記推進装置と前記浮かび装置を収納できる収納装置が設置され、前記動力チャンバの中には動力を提供できる動力装置が設置され、前記動力チャンバの底壁の中には電磁溝が設置され、前記電磁溝の中には前記動力装置の動力出力位置を変えられるコントロール装置が設置され、
前記動力装置は前記収納装置により前記推進装置と前記浮かび装置を張り出すことができ、また前記推進装置を連動させて回転させ、人を救出する。
【０００６】
好ましくは、前記動力装置は前記動力チャンバの左壁の中に設置されているモータを含み、前記動力チャンバの中には前記モータと動力が伝達できるように連結されている動力軸が設置され、前記動力軸の外壁にはスリーブ軸がスライドできるように設置され、前記スリーブ軸と前記動力軸とがスプラインにより連結され、前記スリーブ軸の左端にはメインギヤが設置され、前記スリーブ軸の右端にはメインベベルギヤが設置され、前記コントロール装置は前記電磁溝の中に設置されている永久磁石を含み、前記スリーブ軸の外壁には前記永久磁石と固定的に連結されている回転ブロックが回転できるように設置され、前記電磁溝の右壁の中には電磁石が設置され、前記電磁石と前記永久磁石との間にはばねが弾性を持つように設置され、
前記コントロール装置は前記スリーブ軸を左右へスライドさせることにより動力出力位置を変えられる。
【０００７】
好ましくは、前記浮かび装置は前記浮力板の中に設置されているエアタンクを含み、前記浮力板には前記浮力板を閉じることができる吸着ブロックが左右対称的に設置され、前記吸着ブロックのうち前記エアタンクに近接している一端にはエアバッグが設置され、前記エアバッグと前記エアタンクとの間がエアダクトにより連通され、前記推進装置は前記インペラチャンバの中に設置されているインペラ軸を含み、前記インペラ軸の左端には前記インペラチャンバの中に位置しており、且つ推進力を提供できるインペラが設置され、前記インペラ軸の外壁には前記伝動チャンバの中に位置している従動ギヤが設置され、前記伝動チャンバの中には上軸が設置され、前記上軸の左端には前記伝動チャンバの中に位置しており、且つ前記従動ギヤと噛み合うことができる左ギヤが設置され、前記上軸の右端には前記動力チャンバの中に位置しており、且つ前記メインギヤと噛み合うことができる右ギヤが設置され、
前記浮かび装置と前記推進装置は救援待ちの人の安全を守ることができる。
【０００８】
好ましくは、前記収納装置は前記伝動チャンバの右壁の中に設置されている旋転チャンバを含み、前記伝動チャンバの中にはスライドできるスライドラックが設置され、前記インペラ軸が前記スライドラックと回転できるように連結され、前記旋転チャンバの中には収納軸が設置され、前記収納軸の後端には前記スライドラックと噛み合っているスパーギヤが設置され、前記収納軸の前端には従動ベベルギヤが設置され、前記動力チャンバの中には下軸が設置され、前記下軸の左端には前記従動ベベルギヤと噛み合っている左ベベルギヤが設置され、前記下軸の右端には前記動力チャンバの中に位置しており、且つ前記メインギヤと噛み合っている上ギヤが設置され、前記収納チャンバの中にはスライドでき、且つ前記浮力板と固定的に連結されている収納ラックが設置され、前記収納ラックが前記収納チャンバの中で極限位置までスライドした時、前記収納ラックが九十度回転でき、前記動力チャンバの中には縦軸が設置され、前記縦軸の底端には前記メインベベルギヤと噛み合っている右ベベルギヤが設置され、前記縦軸の頂端には前記収納チャンバの中に位置しており、且つ前記収納ラックと噛み合っている往復ギヤが設置され、
前記収納装置は前記推進装置と前記浮かび装置とを通学リュックの中に収納できる。
【０００９】
好ましくは、前記旋転装置は前記旋転チャンバの中に設置されている右軸を含み、前記右軸の後端には前記スパーギヤと噛み合っている回転ギヤが設置され、前記右軸の前端には正プーリが設置され、前記旋転チャンバの中には前記阻み板と固定的に連結されている前記旋転軸が設置され、前記旋転軸の前端にはサブギヤが設置され、前記旋転チャンバの中には左軸が設置され、前記左軸の後端には前記サブギヤと噛み合っている伝動ギヤが設置され、前記左軸の前端にはサブプーリが設置され、前記サブプーリと前記正プーリとの間にはベルトが伝動できるように設置され、
前記旋転装置は前記阻み板を回転させ、更に前記インペラチャンバを閉鎖することができる。
【発明の効果】
【００１０】
本発明の有益効果は：本発明は構成が簡単で、操作が便利で、メンテナンスしやすく、当該設備は大きい浮力を提供でき、通学リュックが水を吸った後に学生を川の奥に引っ張ることを避け、ゆっくりと学生を岸辺に推し、学生を救援する効率を高め、そのため、当該設備は高い使用価値と普及する価値を有する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の救援機能付き通学リュックの全体構成模式図
【図２】図２は図１の中のＡ―Ａの構成模式図
【図３】図３は図１の中のＢの構成模式図
【図４】図４は図１の中の浮力板の構成模式図
【発明を実施するための形態】
【００１３】
図１〜４に示すように、本発明の実施例の救援機能付き通学リュックは、通学リュック１２を含み、前記通学リュック１２の頂端には蓋１１が設置され、前記通学リュック１２の中には本チャンバ１３が設置され、前記本チャンバ１３の右側壁の中には収納チャンバ７３が設置され、前記収納チャンバ７３の中にはスライドできる浮力板１５が設置され、前記浮力板１５の中には浮力を増加する浮かび装置１００が設置され、前記本チャンバ１３の底壁の中にはインペラチャンバ１９が設置され、前記インペラチャンバ１９の中には回転できる阻み板１８が設置され、前記阻み板１８が前記インペラチャンバ１９を閉鎖でき、前記インペラチャンバ１９の中には推進力を提供できる推進装置２００が設置され、前記インペラチャンバ１９の右壁の中には伝動チャンバ２４が設置され、前記伝動チャンバ２４の頂壁の中には旋転軸６４が設置され、前記旋転軸６４の中には前記阻み板１８を回転させることができる旋転装置３００が設置され、前記伝動チャンバ２４の右壁の中には動力チャンバ４４が設置され、前記動力チャンバ４４の中には前記推進装置２００と前記浮かび装置１００を収納できる収納装置４００が設置され、前記動力チャンバ４４の中には動力を提供できる動力装置５００が設置され、前記動力チャンバ４４の底壁の中には電磁溝４０が設置され、前記電磁溝４０の中には前記動力装置５００の動力出力位置を変えられるコントロール装置６００が設置され、
前記動力装置５００は前記収納装置４００により前記推進装置２００と前記浮かび装置１００を張り出すことができ、また前記推進装置２００を連動させて回転させ、人を救出する。
【００１４】
有益的には、前記動力装置５００は前記動力チャンバ４４の左壁の中に設置されているモータ３３を含み、前記動力チャンバ４４の中には前記モータ３３と動力が伝達できるように連結されている動力軸３４が設置され、前記動力軸３４の外壁にはスリーブ軸３９がスライドできるように設置され、前記スリーブ軸３９と前記動力軸３４とがスプラインにより連結され、前記スリーブ軸３９の左端にはメインギヤ３５が設置され、前記スリーブ軸３９の右端にはメインベベルギヤ４３が設置され、前記コントロール装置６００は前記電磁溝４０の中に設置されている永久磁石３７を含み、前記スリーブ軸３９の外壁には前記永久磁石３７と固定的に連結されている回転ブロック３８が回転できるように設置され、前記電磁溝４０の右壁の中には電磁石４２が設置され、前記電磁石４２と前記永久磁石３７との間にはばね４１が弾性を持つように設置され、
前記コントロール装置６００は前記スリーブ軸３９を左右へスライドさせることにより動力出力位置を変えられる。
【００１５】
有益的には、前記浮かび装置１００は前記浮力板１５の中に設置されているエアタンク７２を含み、前記浮力板１５には前記浮力板１５を閉じることができる吸着ブロック６９が左右対称的に設置され、前記吸着ブロック６９のうち前記エアタンク７２に近接している一端にはエアバッグ７０が設置され、前記エアバッグ７０と前記エアタンク７２との間がエアダクト７１により連通され、前記推進装置２００は前記インペラチャンバ１９の中に設置されているインペラ軸２１を含み、前記インペラ軸２１の左端には前記インペラチャンバ１９の中に位置しており、且つ推進力を提供できるインペラ２０が設置され、前記インペラ軸２１の外壁には前記伝動チャンバ２４の中に位置している従動ギヤ２５が設置され、前記伝動チャンバ２４の中には上軸２３が設置され、前記上軸２３の左端には前記伝動チャンバ２４の中に位置しており、且つ前記従動ギヤ２５と噛み合うことができる左ギヤ２２が設置され、前記上軸２３の右端には前記動力チャンバ４４の中に位置しており、且つ前記メインギヤ３５と噛み合うことができる右ギヤ３６が設置され、
前記浮かび装置１００と前記推進装置２００は救援待ちの人の安全を守ることができる。
【００１６】
有益的には、前記収納装置４００は前記伝動チャンバ２４の右壁の中に設置されている旋転チャンバ４８を含み、前記伝動チャンバ２４の中にはスライドできるスライドラック２６が設置され、前記インペラ軸２１が前記スライドラック２６と回転できるように連結され、前記旋転チャンバ４８の中には収納軸３０が設置され、前記収納軸３０の後端には前記スライドラック２６と噛み合っているスパーギヤ２８が設置され、前記収納軸３０の前端には従動ベベルギヤ２９が設置され、前記動力チャンバ４４の中には下軸３２が設置され、前記下軸３２の左端には前記従動ベベルギヤ２９と噛み合っている左ベベルギヤ３１が設置され、前記下軸３２の右端には前記動力チャンバ４４の中に位置しており、且つ前記メインギヤ３５と噛み合っている上ギヤ４７が設置され、前記収納チャンバ７３の中にはスライドでき、且つ前記浮力板１５と固定的に連結されている収納ラック１６が設置され、前記収納ラック１６が前記収納チャンバ７３の中で極限位置までスライドした時、前記収納ラック１６が九十度回転でき、前記動力チャンバ４４の中には縦軸４６が設置され、前記縦軸４６の底端には前記メインベベルギヤ４３と噛み合っている右ベベルギヤ４５が設置され、前記縦軸４６の頂端には前記収納チャンバ７３の中に位置しており、且つ前記収納ラック１６と噛み合っている往復ギヤ１７が設置され、
前記収納装置４００は前記推進装置２００と前記浮かび装置１００とを通学リュックの中に収納できる。
【００１７】
有益的には、前記旋転装置３００は前記旋転チャンバ４８の中に設置されている右軸５０を含み、前記右軸５０の後端には前記スパーギヤ２８と噛み合っている回転ギヤ４９が設置され、前記右軸５０の前端には正プーリ５１が設置され、前記旋転チャンバ４８の中には前記阻み板１８と固定的に連結されている前記旋転軸６４が設置され、前記旋転軸６４の前端にはサブギヤ６３が設置され、前記旋転チャンバ４８の中には左軸６８が設置され、前記左軸６８の後端には前記サブギヤ６３と噛み合っている伝動ギヤ６６が設置され、前記左軸６８の前端にはサブプーリ６７が設置され、前記サブプーリ６７と前記正プーリ５１との間にはベルト６２が伝動できるように設置され、
前記旋転装置３００は前記阻み板１８を回転させ、更に前記インペラチャンバ１９を閉鎖することができる。
【００１８】
当該設備を使用する時、モータ３３が作動して動力軸３４とスリーブ軸３９とによりメインギヤ３５とメインベベルギヤ４３とを連動させて回転させ、更にメインベベルギヤ４３は右ベベルギヤ４５と、縦軸４６と、往復ギヤ１７と、収納ラック１６とにより浮力板１５を連動させて前記収納チャンバ７３から離れている方向へスライドさせ、浮力板１５が完全に突き出た時、エアタンク７２の中の気体がエアダクト７１を通してエアバッグ７０の中に入り、浮力を増加し、同時に、メインギヤ３５は上ギヤ４７と、下軸３２と、左ベベルギヤ３１と、従動ベベルギヤ２９と、収納軸３０と、スパーギヤ２８と、回転ギヤ４９と、右軸５０と、正プーリ５１と、サブプーリ６７と、左軸６８と、伝動ギヤ６６と、サブギヤ６３と、旋転軸６４とにより阻み板１８を連動させて回転させ、阻み板１８を開け、それと同時に、スパーギヤ２８はスライドラック２６とインペラ軸２１とによりインペラ２０を連動させて左側へスライドさせ、それと同時に、電磁石４２が通電し、また永久磁石３７と、回転ブロック３８と、スリーブ軸３９とによりメインギヤ３５を連動させて左側へスライドさせ、メインギヤ３５は右ギヤ３６と、上軸２３と、左ギヤ２２と、従動ギヤ２５と、インペラ軸２１とによりインペラ２０を連動させて回転させ、更に推進力を提供し、人の安全を保証する。
【００１９】
本発明の有益効果は：本発明は構成が簡単で、操作が便利で、メンテナンスしやすく、当該設備は大きい浮力を提供でき、通学リュックが水を吸った後に学生を川の奥に引っ張ることを避け、ゆっくりと学生を岸辺に推し、学生を救援する効率を高め、そのため、当該設備は高い使用価値と普及する価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020183215.tif 000003
【図２】
2020183215.tif 000004
【図３】
2020183215.tif 000005
【図４】
2020183215.tif 000006
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
正面視で、通学リュックを含み、前記通学リュックの頂端には蓋が設置され、前記通学リュックの中には本チャンバが設置され、前記本チャンバの右側壁の中には収納チャンバが設置され、前記収納チャンバの左右両側にはスライドできる二つの浮力板が設置され、前記浮力板の中には浮力を増加する浮かび装置が設置され、前記本チャンバの底壁の中にはインペラチャンバが設置され、前記インペラチャンバの中には回転できる阻み板が設置され、前記阻み板が前記インペラチャンバを閉鎖でき、前記インペラチャンバの中には推進力を提供できる推進装置が設置され、前記インペラチャンバの右壁の中には伝動チャンバが設置され、前記伝動チャンバの頂壁の中には旋転軸が設置され、前記旋転軸の中には前記阻み板を回転させることができる旋転装置が設置され、前記伝動チャンバの右壁の中には動力チャンバが設置され、前記動力チャンバの中には前記推進装置と前記浮かび装置を収納できる収納装置が設置され、前記動力チャンバの中には動力を提供できる動力装置が設置され、前記動力チャンバの底壁の中には電磁溝が設置され、前記電磁溝の中には前記動力装置の動力出力位置を変えられるコントロール装置が設置されており、
前記動力装置は前記動力チャンバの左壁の中に設置されているモータを含み、前記動力チャンバの中には前記モータと動力が伝達できるように連結されている動力軸が設置され、前記動力軸の外壁にはスリーブ軸がスライドできるように設置され、前記スリーブ軸と前記動力軸とがスプラインにより連結され、前記スリーブ軸の左端にはメインギヤが設置され、前記スリーブ軸の右端にはメインベベルギヤが設置され、前記コントロール装置は前記電磁溝の中に設置されている永久磁石を含み、前記スリーブ軸の外壁には前記永久磁石と固定的に連結されている回転ブロックが回転できるように設置され、前記電磁溝の右壁の中には電磁石が設置され、前記電磁石と前記永久磁石との間にはばねが弾性を持つように設置されており、
前記浮かび装置は前記浮力板の中に設置されているエアタンクを含み、前記浮力板には前記浮力板を閉じることができる吸着ブロックが左右対称的に設置され、前記吸着ブロックのうち前記エアタンクに近接している一端にはエアバッグが設置され、前記エアバッグと前記エアタンクとの間がエアダクトにより連通され、前記推進装置は前記インペラチャンバの中に設置されているインペラ軸を含み、前記インペラ軸の左端には前記インペラチャンバの中に位置しており、且つ推進力を提供できるインペラが設置され、前記インペラ軸の外壁には前記伝動チャンバの中に位置している従動ギヤが設置され、前記伝動チャンバの中には上軸が設置され、前記上軸の左端には前記伝動チャンバの中に位置しており、且つ前記従動ギヤと噛み合うことができる左ギヤが設置され、前記上軸の右端には前記動力チャンバの中に位置しており、且つ前記メインギヤと噛み合うことができる右ギヤが設置されていることを特徴とする救援機能付き通学リュック。
【請求項２】
前記収納装置は前記伝動チャンバの右壁の中に設置されている旋転チャンバを含み、前記伝動チャンバの中にはスライドできるスライドラックが設置され、前記インペラ軸が前記スライドラックと回転できるように連結され、前記旋転チャンバの中には収納軸が設置され、前記収納軸の後端には前記スライドラックと噛み合っているスパーギヤが設置され、前記収納軸の前端には従動ベベルギヤが設置され、前記動力チャンバの中には下軸が設置され、前記下軸の左端には前記従動ベベルギヤと噛み合っている左ベベルギヤが設置され、前記下軸の右端には前記動力チャンバの中に位置しており、且つ前記メインギヤと噛み合っている上ギヤが設置され、前記収納チャンバの中にはスライドでき、且つ前記浮力板と固定的に連結されている収納ラックが設置され、前記収納ラックが前記収納チャンバの中で極限位置までスライドした時、手動で浮力板を回転させることができ、前記動力チャンバの中には縦軸が設置され、前記縦軸の底端には前記メインベベルギヤと噛み合っている右ベベルギヤが設置され、前記縦軸の頂端には前記収納チャンバの中に位置しており、且つ前記収納ラックと噛み合っている往復ギヤが設置されていることを特徴とする請求項１に記載の救援機能付き通学リュック。
【請求項３】
前記旋転装置は前記旋転チャンバの中に設置されている右軸を含み、前記右軸の後端には前記スパーギヤと噛み合っている回転ギヤが設置され、前記右軸の前端には正プーリが設置され、前記旋転チャンバの中には前記阻み板と固定的に連結されている前記旋転軸が設置され、前記旋転軸の前端にはサブギヤが設置され、前記旋転チャンバの中には左軸が設置され、前記左軸の後端には前記サブギヤと噛み合っている伝動ギヤが設置され、前記左軸の前端にはサブプーリが設置され、前記サブプーリと前記正プーリとの間にはベルトが伝動できるように設置されていることを特徴とする請求項１に記載の救援機能付き通学リュック。
【手続補正２】
【補正対象書類名】明細書
【補正対象項目名】全文
【補正方法】変更
【補正の内容】
【発明の詳細な説明】
【技術分野】
【０００１】
本発明は通学リュック分野を取り上げて、具体的には救援機能付き通学リュックである。
【背景技術】
【０００２】
社会の発展につれて、人々は学生の安全をもっと重視するようになり、同時に、通学リュックは学生が教科書、文房具などの用品を携帯するための常用の物であり、学生が川に落ちるなどの意外な事故が発生した時、学生が背負ている通学リュックが水を吸って重くなり、学生の安全を危うくし、且つ救援の進捗状況に影響を及ぼし、そのため、本発明は救援機能付き通学リュックを設計することを目的とする。
【先行技術文献】
【特許文献】
【０００３】
【特許文献１】中国特許出願公開第１０９６４５６６１号明細書
【発明の概要】
【発明が解決しようとする課題】
【０００４】
本発明は救援機能付き通学リュックを提供し、従来技術における上記欠点を解消することを目的とする。
【課題を解決するための手段】
【０００５】
本発明の救援機能付き通学リュックは、通学リュックを含み、前記通学リュックの頂端には蓋が設置され、前記通学リュックの中には本チャンバが設置され、前記本チャンバの右側壁の中には収納チャンバが設置され、前記収納チャンバの左右両側にはスライドできる二つの浮力板が設置され、前記浮力板の中には浮力を増加する浮かび装置が設置され、前記本チャンバの底壁の中にはインペラチャンバが設置され、前記インペラチャンバの中には回転できる阻み板が設置され、前記阻み板が前記インペラチャンバを閉鎖でき、前記インペラチャンバの中には推進力を提供できる推進装置が設置され、前記インペラチャンバの右壁の中には伝動チャンバが設置され、前記伝動チャンバの頂壁の中には旋転軸が設置され、前記旋転軸の中には前記阻み板を回転させることができる旋転装置が設置され、前記伝動チャンバの右壁の中には動力チャンバが設置され、前記動力チャンバの中には前記推進装置と前記浮かび装置を収納できる収納装置が設置され、前記動力チャンバの中には動力を提供できる動力装置が設置され、前記動力チャンバの底壁の中には電磁溝が設置され、前記電磁溝の中には前記動力装置の動力出力位置を変えられるコントロール装置が設置され、
前記動力装置は前記収納装置により前記推進装置と前記浮かび装置を張り出すことができ、また前記推進装置を連動させて回転させ、人を救出する。
【０００６】
好ましくは、前記動力装置は前記動力チャンバの左壁の中に設置されているモータを含み、前記動力チャンバの中には前記モータと動力が伝達できるように連結されている動力軸が設置され、前記動力軸の外壁にはスリーブ軸がスライドできるように設置され、前記スリーブ軸と前記動力軸とがスプラインにより連結され、前記スリーブ軸の左端にはメインギヤが設置され、前記スリーブ軸の右端にはメインベベルギヤが設置され、前記コントロール装置は前記電磁溝の中に設置されている永久磁石を含み、前記スリーブ軸の外壁には前記永久磁石と固定的に連結されている回転ブロックが回転できるように設置され、前記電磁溝の右壁の中には電磁石が設置され、前記電磁石と前記永久磁石との間にはばねが弾性を持つように設置され、
前記コントロール装置は前記スリーブ軸を左右へスライドさせることにより動力出力位置を変えられる。
【０００７】
好ましくは、前記浮かび装置は前記浮力板の中に設置されているエアタンクを含み、前記浮力板には前記浮力板を閉じることができる吸着ブロックが左右対称的に設置され、前記吸着ブロックのうち前記エアタンクに近接している一端にはエアバッグが設置され、前記エアバッグと前記エアタンクとの間がエアダクトにより連通され、前記推進装置は前記インペラチャンバの中に設置されているインペラ軸を含み、前記インペラ軸の左端には前記インペラチャンバの中に位置しており、且つ推進力を提供できるインペラが設置され、前記インペラ軸の外壁には前記伝動チャンバの中に位置している従動ギヤが設置され、前記伝動チャンバの中には上軸が設置され、前記上軸の左端には前記伝動チャンバの中に位置しており、且つ前記従動ギヤと噛み合うことができる左ギヤが設置され、前記上軸の右端には前記動力チャンバの中に位置しており、且つ前記メインギヤと噛み合うことができる右ギヤが設置され、
前記浮かび装置と前記推進装置は救援待ちの人の安全を守ることができる。
【０００８】
好ましくは、前記収納装置は前記伝動チャンバの右壁の中に設置されている旋転チャンバを含み、前記伝動チャンバの中にはスライドできるスライドラックが設置され、前記インペラ軸が前記スライドラックと回転できるように連結され、前記旋転チャンバの中には収納軸が設置され、前記収納軸の後端には前記スライドラックと噛み合っているスパーギヤが設置され、前記収納軸の前端には従動ベベルギヤが設置され、前記動力チャンバの中には下軸が設置され、前記下軸の左端には前記従動ベベルギヤと噛み合っている左ベベルギヤが設置され、前記下軸の右端には前記動力チャンバの中に位置しており、且つ前記メインギヤと噛み合っている上ギヤが設置され、前記収納チャンバの中にはスライドでき、且つ前記浮力板と固定的に連結されている収納ラックが設置され、前記収納ラックが前記収納チャンバの中で極限位置までスライドした時、手動で浮力板を回転させることができ、前記動力チャンバの中には縦軸が設置され、前記縦軸の底端には前記メインベベルギヤと噛み合っている右ベベルギヤが設置され、前記縦軸の頂端には前記収納チャンバの中に位置しており、且つ前記収納ラックと噛み合っている往復ギヤが設置され、
前記収納装置は前記推進装置と前記浮かび装置とを通学リュックの中に収納できる。
【０００９】
好ましくは、前記旋転装置は前記旋転チャンバの中に設置されている右軸を含み、前記右軸の後端には前記スパーギヤと噛み合っている回転ギヤが設置され、前記右軸の前端には正プーリが設置され、前記旋転チャンバの中には前記阻み板と固定的に連結されている前記旋転軸が設置され、前記旋転軸の前端にはサブギヤが設置され、前記旋転チャンバの中には左軸が設置され、前記左軸の後端には前記サブギヤと噛み合っている伝動ギヤが設置され、前記左軸の前端にはサブプーリが設置され、前記サブプーリと前記正プーリとの間にはベルトが伝動できるように設置され、
前記旋転装置は前記阻み板を回転させ、更に前記インペラチャンバを閉鎖することができる。
【発明の効果】
【００１０】
本発明の有益効果は：本発明は構成が簡単で、操作が便利で、メンテナンスしやすく、当該設備は大きい浮力を提供でき、通学リュックが水を吸った後に学生を川の奥に引っ張ることを避け、ゆっくりと学生を岸辺に推し、学生を救援する効率を高め、そのため、当該設備は高い使用価値と普及する価値を有する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の救援機能付き通学リュックの全体構成模式図
【図２】図２は図１の中のＡ―Ａの構成模式図
【図３】図３は図１の中のＢの構成模式図
【図４】図４は図１の中の浮力板の構成模式図
【発明を実施するための形態】
【００１３】
図１〜４に示すように、本発明の実施例の救援機能付き通学リュックは、通学リュック１２を含み、前記通学リュック１２の頂端には蓋１１が設置され、前記通学リュック１２の中には本チャンバ１３が設置され、前記本チャンバ１３の右側壁の中には収納チャンバ７３が設置され、前記収納チャンバ７３の左右両側にはスライドできる二つの浮力板１５が設置され、前記浮力板１５の中には浮力を増加する浮かび装置１００が設置され、前記本チャンバ１３の底壁の中にはインペラチャンバ１９が設置され、前記インペラチャンバ１９の中には回転できる阻み板１８が設置され、前記阻み板１８が前記インペラチャンバ１９を閉鎖でき、前記インペラチャンバ１９の中には推進力を提供できる推進装置２００が設置され、前記インペラチャンバ１９の右壁の中には伝動チャンバ２４が設置され、前記伝動チャンバ２４の頂壁の中には旋転軸６４が設置され、前記旋転軸６４の中には前記阻み板１８を回転させることができる旋転装置３００が設置され、前記伝動チャンバ２４の右壁の中には動力チャンバ４４が設置され、前記動力チャンバ４４の中には前記推進装置２００と前記浮かび装置１００を収納できる収納装置４００が設置され、前記動力チャンバ４４の中には動力を提供できる動力装置５００が設置され、前記動力チャンバ４４の底壁の中には電磁溝４０が設置され、前記電磁溝４０の中には前記動力装置５００の動力出力位置を変えられるコントロール装置６００が設置され、
前記動力装置５００は前記収納装置４００により前記推進装置２００と前記浮かび装置１００を張り出すことができ、また前記推進装置２００を連動させて回転させ、人を救出する。
【００１４】
有益的には、前記動力装置５００は前記動力チャンバ４４の左壁の中に設置されているモータ３３を含み、前記動力チャンバ４４の中には前記モータ３３と動力が伝達できるように連結されている動力軸３４が設置され、前記動力軸３４の外壁にはスリーブ軸３９がスライドできるように設置され、前記スリーブ軸３９と前記動力軸３４とがスプラインにより連結され、前記スリーブ軸３９の左端にはメインギヤ３５が設置され、前記スリーブ軸３９の右端にはメインベベルギヤ４３が設置され、前記コントロール装置６００は前記電磁溝４０の中に設置されている永久磁石３７を含み、前記スリーブ軸３９の外壁には前記永久磁石３７と固定的に連結されている回転ブロック３８が回転できるように設置され、前記電磁溝４０の右壁の中には電磁石４２が設置され、前記電磁石４２と前記永久磁石３７との間にはばね４１が弾性を持つように設置され、
前記コントロール装置６００は前記スリーブ軸３９を左右へスライドさせることにより動力出力位置を変えられる。
【００１５】
有益的には、前記浮かび装置１００は前記浮力板１５の中に設置されているエアタンク７２を含み、前記浮力板１５には前記浮力板１５を閉じることができる吸着ブロック６９が左右対称的に設置され、前記吸着ブロック６９のうち前記エアタンク７２に近接している一端にはエアバッグ７０が設置され、前記エアバッグ７０と前記エアタンク７２との間がエアダクト７１により連通され、前記推進装置２００は前記インペラチャンバ１９の中に設置されているインペラ軸２１を含み、前記インペラ軸２１の左端には前記インペラチャンバ１９の中に位置しており、且つ推進力を提供できるインペラ２０が設置され、前記インペラ軸２１の外壁には前記伝動チャンバ２４の中に位置している従動ギヤ２５が設置され、前記伝動チャンバ２４の中には上軸２３が設置され、前記上軸２３の左端には前記伝動チャンバ２４の中に位置しており、且つ前記従動ギヤ２５と噛み合うことができる左ギヤ２２が設置され、前記上軸２３の右端には前記動力チャンバ４４の中に位置しており、且つ前記メインギヤ３５と噛み合うことができる右ギヤ３６が設置され、
前記浮かび装置１００と前記推進装置２００は救援待ちの人の安全を守ることができる。
【００１６】
有益的には、前記収納装置４００は前記伝動チャンバ２４の右壁の中に設置されている旋転チャンバ４８を含み、前記伝動チャンバ２４の中にはスライドできるスライドラック２６が設置され、前記インペラ軸２１が前記スライドラック２６と回転できるように連結され、前記旋転チャンバ４８の中には収納軸３０が設置され、前記収納軸３０の後端には前記スライドラック２６と噛み合っているスパーギヤ２８が設置され、前記収納軸３０の前端には従動ベベルギヤ２９が設置され、前記動力チャンバ４４の中には下軸３２が設置され、前記下軸３２の左端には前記従動ベベルギヤ２９と噛み合っている左ベベルギヤ３１が設置され、前記下軸３２の右端には前記動力チャンバ４４の中に位置しており、且つ前記メインギヤ３５と噛み合っている上ギヤ４７が設置され、前記収納チャンバ７３の中にはスライドでき、且つ前記浮力板１５と固定的に連結されている収納ラック１６が設置され、前記収納ラック１６が前記収納チャンバ７３の中で極限位置までスライドした時、手動で浮力板１５を回転させることができ、前記動力チャンバ４４の中には縦軸４６が設置され、前記縦軸４６の底端には前記メインベベルギヤ４３と噛み合っている右ベベルギヤ４５が設置され、前記縦軸４６の頂端には前記収納チャンバ７３の中に位置しており、且つ前記収納ラック１６と噛み合っている往復ギヤ１７が設置され、
前記収納装置４００は前記推進装置２００と前記浮かび装置１００とを通学リュックの中に収納できる。
【００１７】
有益的には、前記旋転装置３００は前記旋転チャンバ４８の中に設置されている右軸５０を含み、前記右軸５０の後端には前記スパーギヤ２８と噛み合っている回転ギヤ４９が設置され、前記右軸５０の前端には正プーリ５１が設置され、前記旋転チャンバ４８の中には前記阻み板１８と固定的に連結されている前記旋転軸６４が設置され、前記旋転軸６４の前端にはサブギヤ６３が設置され、前記旋転チャンバ４８の中には左軸６８が設置され、前記左軸６８の後端には前記サブギヤ６３と噛み合っている伝動ギヤ６６が設置され、前記左軸６８の前端にはサブプーリ６７が設置され、前記サブプーリ６７と前記正プーリ５１との間にはベルト６２が伝動できるように設置され、
前記旋転装置３００は前記阻み板１８を回転させ、更に前記インペラチャンバ１９を閉鎖することができる。
【００１８】
当該設備を使用する時、モータ３３が作動して動力軸３４とスリーブ軸３９とによりメインギヤ３５とメインベベルギヤ４３とを連動させて回転させ、更にメインベベルギヤ４３は右ベベルギヤ４５と、縦軸４６と、往復ギヤ１７と、収納ラック１６とにより浮力板１５を連動させて前記収納チャンバ７３から離れている方向へスライドさせ、浮力板１５が完全に突き出た時、エアタンク７２の中の気体がエアダクト７１を通してエアバッグ７０の中に入り、浮力を増加し、同時に、メインギヤ３５は上ギヤ４７と、下軸３２と、左ベベルギヤ３１と、従動ベベルギヤ２９と、収納軸３０と、スパーギヤ２８と、回転ギヤ４９と、右軸５０と、正プーリ５１と、サブプーリ６７と、左軸６８と、伝動ギヤ６６と、サブギヤ６３と、旋転軸６４とにより阻み板１８を連動させて回転させ、阻み板１８を開け、それと同時に、スパーギヤ２８はスライドラック２６とインペラ軸２１とによりインペラ２０を連動させて左側へスライドさせ、それと同時に、電磁石４２が通電し、また永久磁石３７と、回転ブロック３８と、スリーブ軸３９とによりメインギヤ３５を連動させて左側へスライドさせ、メインギヤ３５は右ギヤ３６と、上軸２３と、左ギヤ２２と、従動ギヤ２５と、インペラ軸２１とによりインペラ２０を連動させて回転させ、更に推進力を提供し、人の安全を保証する。
【００１９】
本発明の有益効果は：本発明は構成が簡単で、操作が便利で、メンテナンスしやすく、当該設備は大きい浮力を提供でき、通学リュックが水を吸った後に学生を川の奥に引っ張ることを避け、ゆっくりと学生を岸辺に推し、学生を救援する効率を高め、そのため、当該設備は高い使用価値と普及する価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。